(57)【要約】      （修正有）【課題】従来必要であった高電圧発生回路等を不要として、回路構成を簡素化すること。【解決手段】紫外線を放射する紫外線光源を駆動させて、紫外線式炎感知器の作動試験を行う紫外線式炎感知器の作動試験器において、前記紫外線光源として、紫外線発光ダイオードＵＶＬＥＤを用いたことを特徴とする。また、各回路に電源を供給するバッテリＢＡＴと、該バッテリＢＡＴの電圧を監視する電圧検出回路Ａと、該電圧検出回路Ａによる電圧検出結果を表示する電圧表示回路Ｂとを備え、前記紫外線発光ダイオードＵＶＬＥＤを前記電圧表示回路Ｂに備えることを特徴とする。【選択図】図１
2016075980.tif 000002
【特許請求の範囲】
【請求項１】
紫外線を放射する紫外線光源を駆動させて、紫外線式炎感知器の作動試験を行う紫外線式炎感知器の作動試験器において、
前記紫外線光源として、紫外線発光ダイオードを用いたことを特徴とする紫外線式炎感知器の作動試験器。
【請求項２】
各回路に電源を供給するバッテリと、該バッテリの電圧を監視する電圧検出回路と、該電圧検出回路による電圧検出結果を表示する電圧表示回路とを備え、
前記紫外線発光ダイオードを前記電圧表示回路に備えることを特徴とする請求項１記載の紫外線式炎感知器の作動試験器。
【発明の詳細な説明】
【技術分野】
【０００１】
この発明は、紫外線式炎感知器の作動試験器に関する。
【背景技術】
【０００２】
従来から、紫外線を放射する紫外線光源を駆動させて、紫外線式炎感知器の作動試験を行う紫外線式炎感知器の作動試験器が知られている。
【０００３】
従来の紫外線式炎感知器の作動試験器は、前記紫外線光源として、紫外線放電管を使用していた（例えば、特許文献１参照）。
【先行技術文献】
【特許文献】
【０００４】
【特許文献１】特開平８−１２９６８２号公報
【発明の開示】
【発明が解決しようとする課題】
【０００５】
紫外線放電管を発光（駆動）させるためには高電圧を印加する必要があり、そのため、特許文献１の紫外線式炎感知器の作動試験器は、電源供給源であるバッテリの電圧を昇圧して紫外線放電管が発光するのに要する高電圧を発生させる高電圧発生回路等が必要となり、回路構成の簡素化が望まれている。
【０００６】
この発明は、従来必要であった高電圧発生回路等を不要として、回路構成を簡素化することを目的とする。
【課題を解決するための手段】
【０００７】
この発明は、紫外線を放射する紫外線光源を駆動させて、紫外線式炎感知器の作動試験を行う紫外線式炎感知器の作動試験器において、前記紫外線光源として、紫外線発光ダイオードを用いたことを特徴とする。
【０００８】
また、各回路に電源を供給するバッテリと、該バッテリの電圧を監視する電圧検出回路と、該電圧検出回路による電圧検出結果を表示する電圧表示回路とを備え、前記紫外線発光ダイオードを前記電圧表示回路に備えることを特徴とする。
【発明の効果】
【０００９】
この発明は、紫外線を放射する紫外線光源を駆動させて、紫外線式炎感知器の作動試験を行う紫外線式炎感知器の作動試験器において、前記紫外線光源として、紫外線発光ダイオードを用いたので、従来必要であった高電圧発生回路等を不要として、回路構成を簡素化することができる。
【００１０】
また、各回路に電源を供給するバッテリと、該バッテリの電圧を監視する電圧検出回路と、該電圧検出回路による電圧検出結果を表示する電圧表示回路とを備え、前記紫外線発光ダイオードを前記電圧表示回路に備えるようにしたので、回路構成を一層簡素化することができる。
【図面の簡単な説明】
【００１１】
【図１】この発明の第１の実施の形態における紫外線式炎感知器の作動試験器を示す回路図。
【図２】この発明の第２の実施の形態における紫外線式炎感知器の作動試験器を示す回路図。
【発明を実施するための形態】
【００１２】
以下、この発明の実施の形態を図に基づいて説明する。
［第１の実施の形態］
図１はこの発明の第１の実施の形態における紫外線式炎感知器の作動試験器（以下、単に「作動試験器」とも称する）を示す回路図である。図において、ＢＡＴは作動試験器の電源として使用され、各回路に電源を供給するバッテリ例えば乾電池、ＳＷはこのバッテリＢＡＴの正極に接続されたスイッチ、Ｌ＋はこのスイッチＳＷを介してバッテリＢＡＴの正極に接続される正の直流母線、そしてＬ−はバッテリＢＡＴの負極に接続された負の直流母線である。
【００１３】
Ａは直流母線Ｌ＋とＬ−の間に接続され、バッテリＢＡＴの電圧を監視する電圧検出回路、そしてＢは直流母線Ｌ＋とＬ−の間に接続されると共に電圧検出回路Ａにも接続され、その電圧検出結果に基づいてバッテリ状態表示灯としての２色発光ダイオードＬＥＤ１を後述する形態で点灯させる電圧表示回路である。
【００１４】
Ｈは直流母線Ｌ＋とＬ−の間に接続され、紫外線を放射する紫外線光源としての紫外線発光ダイオードＵＶＬＥＤを発光（駆動）させる発光回路である。
【００１５】
電圧検出回路Ａは、直流母線Ｌ＋とＬ−の間で互いに直列に接続された抵抗Ｒ１及びＲ２からなる分圧器、＋入力端子が抵抗Ｒ１とＲ２の接続点に接続され且つ−入力端子が基準電圧（図示せず）に接続されたコンパレータＩＣ１を有している。
【００１６】
電圧表示回路Ｂは５個の抵抗Ｒ３〜Ｒ７、２個のトランジスタＱ１及びＱ２、並びに例えば緑色と赤色に点灯する２色発光ダイオードＬＥＤ１を有している。抵抗Ｒ３、Ｒ４、Ｒ５は直流母線Ｌ＋とトランジスタＱ２例えばｎｐｎ型トランジスタのベースとの間で互いに直列に接続され、抵抗Ｒ３とＲ４の接続点がトランジスタＱ１例えばｐｎｐ型トランジスタのベースに接続され、そして抵抗Ｒ４とＲ５の接続点が電圧検出回路ＡのコンパレータＩＣ１の出力端子に接続されている。トランジスタＱ１のエミッタ−コレクタ路、抵抗Ｒ６及び２色発光ダイオードＬＥＤ１の赤色ＬＥＤは、直流母線Ｌ＋とＬ−の間で互いに直列に接続されている。同様に、抵抗Ｒ７、トランジスタＱ２のコレクタ−エミッタ路及び２色発光ダイオードＬＥＤ１の緑色ＬＥＤは、直流母線Ｌ＋とＬ−の間で互いに直列に接続されている。
【００１７】
発光回路Ｈは、直流母線Ｌ＋とＬ−の間に接続されたノイズ吸収用のコンデンサＣ４、このコンデンサＣ４と並列に接続されると共に互いに直列に接続された電流制限用の抵抗Ｒ８及び紫外線発光ダイオードＵＶＬＥＤとを有する。なお、コンデンサＣ４は、不要ならば削除してもよい。
【００１８】
このように、本発明の作動試験器は、従来の作動試験器のように、紫外線光源として紫外線放電管を用いないので、バッテリＢＡＴの電圧を昇圧して紫外線放電管が発光するのに要する高電圧を発生させる高電圧発生回路等が不要となり、回路構成を簡素化することができる。そして、高電圧発生回路が不要となるので、詳細には図示しないが、作動試験器を構成する各回路、即ち電圧検出回路Ａ、電圧表示回路Ｂ、発光回路Ｈは、１つの基板に搭載することができる。
【００１９】
次に、図１に示した本第１の実施の形態の作動試験器の動作を説明する。紫外線式炎感知器（以下、単に「炎感知器」とも称する）の作動試験を行う際には、保安員がスイッチＳＷをオンにしてから設置されている炎感知器の前面に作動試験器の前方をあてがい、作動試験器の紫外線発光ダイオードＵＶＬＥＤを発光させて紫外線光を炎感知器へ照射し、炎感知器が作動したかどうかは炎感知器設置場所から離れた中央監視室に居るオペレータが例えば火災受信機の表示盤を見て確認する。なお、確認結果は、保安員が所持している携帯用無線機を通じて保安員とオペレータの間でやりとりしても良い。また、炎感知器に動作表示灯が設けられている場合には、その動作表示灯の点灯の有無によって確認することができる。
【００２０】
スイッチＳＷをオンにすると、バッテリＢＡＴの正極から直流母線Ｌ＋→電圧検出回路Ａ中のコンパレータＩＣ１→直流母線Ｌ−を通ってバッテリＢＡＴの負極に電流が流れる。又、コンパレータＩＣ１の＋入力端子には、バッテリＢＡＴの両端間の電圧を抵抗Ｒ１と抵抗Ｒ２で分割した電圧が印加され、コンパレータＩＣ１の−入力端子には、所定電圧例えば１.２Ｖの基準電圧が印加される。
【００２１】
バッテリ電圧が所定電圧以上であれば、コンパレータＩＣ１は、＋入力端子での電圧＞−入力端子での電圧となるため、Ｈレベル（ハイレベル）を出力する。このＨレベル出力のため、電圧表示回路Ｂ中のトランジスタＱ１はオフのままであるが、トランジスタＱ２はオンになる。その結果、２色発光ダイオードＬＥＤ１の緑色ＬＥＤが点灯し（赤色ＬＥＤは消灯）、これによりバッテリ電圧が所定電圧以上であることが表示される。
【００２２】
バッテリ電圧が低下し、バッテリ電圧が所定電圧未満となると、コンパレータＩＣ１は、＋入力端子での電圧＜−入力端子での電圧となるため、Ｌレベル（ロウレベル）を出力する。このＬレベル出力のため、電圧表示回路Ｂ中のトランジスタＱ１はオンとなり、トランジスタＱ２はオフになる。その結果、２色発光ダイオードＬＥＤ１の緑色ＬＥＤが消灯、赤色ＬＥＤが点灯し、これによりバッテリ電圧が低下してバッテリＢＡＴの交換をする必要があることが表示される。従って、上述した２つの点灯状態により電源の状態を知ることができる。なお、実施例では発光ダイオードとしての２色発光ダイオードＬＥＤ１を用いたが、赤色と緑色のＬＥＤを別々に用いてもよい。
【００２３】
スイッチＳＷをオンにすると、又、バッテリＢＡＴの正極からスイッチＳＷ→直流母線Ｌ＋→発光回路Ｈ→直流母線Ｌ−通ってバッテリＢＡＴの負極に電流が流れる。
【００２４】
発光回路Ｈでは、発光回路Ｈの１次側に発生した電圧が、コンデンサＣ４によりノイズ吸収されつつ、紫外線発光ダイオードＵＶＬＥＤを駆動（発光）させる。これにより、紫外線発光ダイオードＵＶＬＥＤが点灯し、炎感知器に紫外線が照射されるので、炎感知器が作動したかどうかを火災受信機の表示盤、又は炎感知器の動作表示灯を視認することによって確認することができる。
【００２５】
［第２の実施形態］
図２はこの発明の第２の実施の形態における紫外線式炎感知器の作動試験器を示す回路図であり、図１に示した第１の実施形態との相違点は、発光回路Ｈから紫外線発光ダイオードＵＶＬＥＤ、抵抗Ｒ８を削除し、電圧表示回路Ｂに紫外線発光ダイオードＵＶＬＥＤを備えたことである。紫外線発光ダイオードＵＶＬＥＤは、トランジスタＱ２と２色発光ダイオードＬＥＤ１の緑色ＬＥＤとの間に設けられ、バッテリ電圧が所定電圧以上のときには、トランジスタＱ２がオンになって、紫外線発光ダイオードＵＶＬＥＤが点灯する。このように、紫外線発光ダイオードＵＶＬＥＤを電圧表示回路Ｂに備えるようにしたので、第１の実施の形態よりも回路構成を一層簡素化することができる。
【００２６】
以上、前記全ての実施の形態に示すように、紫外線を放射する紫外線光源を駆動させて、紫外線式炎感知器の作動試験を行う紫外線式炎感知器の作動試験器において、紫外線光源として、紫外線発光ダイオードＵＶＬＥＤを用いたので、従来必要であった高電圧発生回路等を不要として、回路構成を簡素化することができる。
【００２７】
また、前記第２の実施の形態に示すように、各回路に電源を供給するバッテリＢＡＴと、該バッテリＢＡＴの電圧を監視する電圧検出回路Ａと、該電圧検出回路Ａによる電圧検出結果を表示する電圧表示回路Ｂとを備え、紫外線発光ダイオードＵＶＬＥＤを電圧表示回路Ｂに備えるようにしたので、回路構成を一層簡素化することができる。
【符号の説明】
【００２８】
Ａ  電圧検出回路、Ｂ  電圧表示回路、ＢＡＴ  バッテリ、Ｃ４  コンデンサ、Ｈ  発光回路、ＩＣ１  コンパレータ、ＬＥＤ１  ２色発光ダイオード、Ｌ＋  直流母線、Ｌ−  直流母線、ＳＷ  スイッチ、Ｑ１  トランジスタ、Ｑ２  トランジスタ、Ｒ１〜Ｒ８  抵抗、ＵＶＬＥＤ  紫外線発光ダイオード。
【図１】
2016075980.tif 000003
【図２】
2016075980.tif 000004